(57)【特許請求の範囲】
【請求項１】
アクセサリ機器をスライドさせることで、アクセサリシューに前記アクセサリ機器が着脱される撮像装置であって、
前記撮像装置の外面に開口部が形成され、
前記アクセサリシューが前記開口部に対して突出して、前記アクセサリ機器が着脱可能となる第１の位置と、前記アクセサリシューが前記開口部内に格納され、前記アクセサリ機器が着脱不能となる第２の位置との間で前記アクセサリシューを回動可能に支持する支持機構を前記開口部内に有し、
前記支持機構の回動中心は、前記アクセサリシューの前記撮像装置の光軸方向前方の一辺に設定され、前記アクセサリ機器の使用時は、前記アクセサリシューの前記撮像装置の光軸方向後方の一辺が前記開口部内に設けられたロック機構に保持されることを特徴とする撮像装置。
【請求項２】
前記支持機構は、前記アクセサリシューを前記第１の位置に向けて付勢する付勢部材を有するとともに、前記アクセサリシューが前記第２の位置にあるときに、前記アクセサリシューを前記ロック機構に保持させるよう付勢することを特徴とする請求項１に記載の撮像装置。
【請求項３】
前記ロック機構は、前記アクセサリシューの前記撮像装置の光軸方向後方の一辺が前記撮像装置に固定されるベース部材に設けられた係合部に係合し、前記アクセサリシューに装着された前記アクセサリ機器の該アクセサリシューからの外れを阻止することを特徴とする請求項２に記載の撮像装置。
【請求項４】
前記支持機構は、前記アクセサリシューが前記第１の位置と前記第２の位置との間を移動する際に、前記支持機構の回動中心が光軸方向に移動可能であることを特徴とする請求項１から３のいずれか１つに記載の撮像装置。
【請求項５】
前記アクセサリ機器が装着された前記アクセサリシューは、前記第２の位置において前記撮像装置の本体に対してスライドし、該アクセサリ機器に設けられた接点を前記撮像装置の本体に設けられた接点に対して摺動させることを特徴とする請求項１から４のいずれか１つに記載の撮像装置。
【発明の詳細な説明】
【技術分野】
【０００１】
本発明は、アクセサリシューを備えたビデオカメラ、デジタルスチルカメラ等の撮像装置に関する。
【背景技術】
【０００２】
ビデオカメラ等の撮像装置には、ライトやマイク等のアクセサリ機器を装着するためのアクセサリシューが設けられている。
【０００３】
図８には、従来のアクセサリシューを有するビデオカメラの外観を示している。１０１はビデオカメラ本体、１０２はアクセサリ機器をビデオカメラ１０１に装着するためのアクセサリシューである。１０３はアクセサリ機器（ビデオライト）、１０４はアクセサリ機器１０３に設けられた固定ねじである。
【０００４】
アクセサリシュー１０２は、ビデオカメラ本体１０１に固定的に設けられている。アクセサリ機器１０３をアクセサリシュー１０２に装着するには、まずアクセサリ機器１０３をビデオカメラ本体１０１の上面におけるアクセサリシュー１０２の後方（ファインダ接眼レンズ１０５側）に設けられた逃げスペース１０６上に配置する。そして、アクセサリ機器１０３を逃げスペース１０６上から前方にスライドさせることで、アクセサリ機器１０３の下面に設けられた不図示のシューがアクセサリシュー１０２に対して係合する。そして、固定ねじ１０４を締め付け方向に回転させることで、アクセサリ機器１０３をビデオカメラ本体１０１に対して固定する。
【０００５】
このように、撮像装置の本体に固定的に設けられたアクセサリシューにアクセサリ機器を装着するためには、アクセサリシューの後方に、スライドストローク（約２０ｍｍ）分の逃げスペースを設ける必要がある。この結果、撮像装置におけるアクセサリシューまわりの構造が大きくなる。
【０００６】
また、アクセサリ機器のシューをアクセサリシューにスライド係合させた後、さらに固定ねじを締め込んでアクセサリ機器を固定する必要がある。このため、アクセサリ機器の装着に手間がかかる。
【０００７】
特許文献１には、複数の接点が仮想軸を中心とした円周方向に配置されたアクセサリシューが開示されている。このアクセサリシューに対してアクセサリ機器側のシューを仮想軸回りで回転させることで、アクセサリ機器の装着と接点の接続とが行われる。
【０００８】
また、特許文献２には、アクセサリシューの内側に凹部と凸部を設けることで、短いスライドストロークでアクセサリ機器側のシューを係合させることができるアクセサリシューが開示されている。
【特許文献１】特開２００５−２０９３５７号公報
【特許文献２】特開２００５−３１５９８９号公報
【発明の開示】
【発明が解決しようとする課題】
【０００９】
しかしながら、特許文献１にて開示されたアクセサリシューでは、アクセサリ機器とアクセサリシューの双方に回転のための機構が必要であるため、構成が複雑になったり、回転方向での位置合せが煩雑になったりするという問題がある。
【００１０】
また、特許文献２にて開示されたアクセサリシューでは、スライドストロークは短いもののスライド係合の後に固定ねじによる固定操作が必要である。
【００１１】
本発明は、アクセサリ機器をスライド装着するための逃げスペースを撮像装置側に設けなくても、簡単にアクセサリ機器をスライド装着できるようにしたアクセサリシュー構造を有する撮像装置を提供する。
【課題を解決するための手段】
【００１２】
本発明の一側面としての撮像装置は、アクセサリ機器をスライドさせることで、アクセサリシューに前記アクセサリ機器が着脱される撮像装置であって、前記撮像装置の外面に開口部が形成され、前記アクセサリシューが前記開口部に対して突出して、前記アクセサリ機器が着脱可能となる第１の位置と、前記アクセサリシューが前記開口部内に格納され、前記アクセサリ機器が着脱不能となる第２の位置との間で前記アクセサリシューを回動可能に支持する支持機構を前記開口部内に有し、前記支持機構の回動中心は、前記アクセサリシューの前記撮像装置の光軸方向前方の一辺に設定され、前記アクセサリ機器の使用時は、前記アクセサリシューの前記撮像装置の光軸方向後方の一辺が前記開口部内に設けられたロック機構に保持されることを特徴とする。
【発明の効果】
【００１３】
本発明によれば、撮像装置の本体から第１の位置に回動して突出したアクセサリシューに対して、アクセサリ機器をスライドさせて装着したり取り外したりすることができる。このため、撮像装置の本体上にアクセサリ機器をスライドさせるための逃げスペースを設ける必要をなくすることができる。この結果、アクセサリシューを備えた撮像装置を小型化することができる。
【発明を実施するための最良の形態】
【００１４】
以下、本発明の好ましい実施例について図面を参照しながら説明する。
【００１５】
図１及び図２には、本発明の実施例であるビデオカメラ（撮像装置）におけるアクセサリシュー周辺の構成を示す。
【００１６】
図１はアクセサリ機器を装着又は取り外すときの様子を示す。図１において、１０はビデオカメラ本体（以下、カメラ本体という）である。１１はアクセサリシューである。１２はアクセサリ機器であり、ここではビデオライトを示している。アクセサリ機器としては、ステレオマイクロフォン等、ビデオライト以外のものを用いてもよい。１３はロック解除レバーである。
【００１７】
アクセサリシュー１１は、カメラ本体１０の上面に形成された矩形の開口部内に、後述する支持機構の一部を構成する支持軸を回動中心としてカメラ本体１０に対して上下方向に回動可能に取り付けられている。回動中心となる支持軸は、アクセサリシュー１１の前端部（カメラ本体１０の光軸方向前方の一辺）を回動中心として回動可能に支持している。これにより、アクセサリシュー１１は、その後部が前部よりも大きくカメラ本体１０から離れるように回動する。
【００１８】
図１は、アクセサリシュー１１の後部がカメラ本体１０に対して上方に突出した、言い換えれば跳ね上がった位置（第１の位置：以下、跳ね上げ位置という）に回動した状態を示す。この位置ではアクセサリ機器が着脱可能となる。また、アクセサリシュー１１は、後述する跳ね上げばね３３によって跳ね上げ位置の方向に付勢されている。
【００１９】
この跳ね上げ位置にあるアクセサリシュー１１に対して、アクセサリ機器１２の下面に設けられた不図示のシューを該アクセサリシュー１１の後方（支持軸とは反対側のより大きく跳ね上がった側）からスライドさせる。これにより、双方のシューを互いに係合させることができる。具体的には、アクセサリシュー１１の左右には内側に向かって折り曲げられて形成された爪部１１ｃが設けられている。この爪部１１ｃとアクセサリシュー１１の底面との間のスペースにアクセサリ機器１２のシューをスライドさせて挿入することで、アクセサリシュー１１（爪部１１ｃ）とアクセサリ機器１２のシューとが係合する。
【００２０】
そして、アクセサリ機器１２をアクセサリシュー１１とともに下方に回動させることで、アクセサリ機器１２をカメラ本体１０に対する適正な位置に移動させることができる。なお、アクセサリシュー１１に係合していたアクセサリ機器１２を跳ね上げ位置にて後方にスライドさせることにより、アクセサリシュー１１から取り外すことができる。
【００２１】
このように、カメラ本体１０からアクセサリシュー１１を跳ね上げた状態でアクセサリ機器１２のスライドによる着脱を可能とすることで、カメラ本体１０の上面におけるアクセサリシュー１１の後方に従来のような長い逃げスペースを設ける必要がなくなる。したがって、カメラ本体１０（ビデオカメラ）を小型化することができる。
【００２２】
図２には、アクセサリシュー１１（ただし、アクセサリ機器１２は装着されていない）が、上述した跳ね上げ位置からカメラ本体１０の上記開口部内に格納される位置（第２の位置：以下、格納位置という）に回動した状態を示す。この位置ではアクセサリ機器が着脱不能となる。
【００２３】
図２において、１４は固定ピンであり、跳ね上げばね３３によって突出する方向に付勢されている。１５はカメラ本体１０に設けられた接点である。１６はガタ取り用リブ（突起部）である。
【００２４】
この格納位置において、アクセサリシュー１１は跳ね上げばね３３によって後方に付勢されており、その付勢力によって開口内で若干カメラ本体１０の光軸方向後方にスライドしている。そして、アクセサリシュー１１の後端部が、後述する支持ベースの後端部に形成された折り曲げ係合部に係合し、かつアクセサリシュー１１に形成された孔部１１ａに固定ピン１４が挿入されることで、アクセサリシュー１１が格納位置にロック保持される。孔部１１ａを図１にも示している。このような構成により、アクセサリシュー１１を跳ね上げ位置から格納位置に回動させることに応じて、自動的にアクセサリシュー１１を格納位置にロック保持するロック機構が構成される。
【００２５】
アクセサリ機器１２をアクセサリシュー１１に対して着脱する際には、ロック解除レバー１３を操作することで固定ピン１４が跳ね上げばね３３の付勢力に抗して、アクセサリシュー１１に形成された孔部１１ａから下方に退避する。そして、アクセサリシュー１１を支持ベースに対して前方に若干スライドさせることで、アクセサリシュー１１の後端部と上記折り曲げ係合部との係合が外れ、アクセサリシュー１１の跳ね上げ位置への回動が可能となる。
【００２６】
また、格納位置においては、アクセサリシュー１１に装着されたアクセサリ機器１２のシューの後端部には、上述した支持ベースの後端部に設けられた折り曲げ係合部（外れ阻止部）が当接する。これにより、アクセサリ機器１２のアクセサリシュー１１からの後方への抜け（外れ）が阻止される。
【００２７】
さらに、アクセサリシュー１１の左右には、図１にも示すように、溝部１１ｂが形成されている。アクセサリシュー１１を格納位置に回動させると、溝部１１ｂを通ってガタ取り用リブ１６がアクセサリシュー１１の上面から突出する。このガタ取り用リブ１６は、アクセサリ機器１２のシューの底面に当接してこれを上方に持ち上げることで、アクセサリ機器１２のシューをアクセサリシュー１１の爪部１１ｃに下側から押し付ける。これにより、アクセサリ機器１２のアクセサリシュー１１（つまりはカメラ本体１０）に対するがたつきが阻止される。
【００２８】
これらのような抜け阻止構造とがたつき阻止構造とにより、跳ね上げ位置にてアクセサリシュー１１に装着されたアクセサリ機器１２をアクセサリシュー１１とともに格納位置に回動させることで、ワンタッチでカメラ本体１０に固定することができる。
【００２９】
図３には、格納位置にあるアクセサリシュー周辺の断面を示す。また、図７には、格納位置にあるアクセサリシュー周辺の図３とは異なる断面を示す。
【００３０】
これらの図において、３２は前述した支持軸であり、３１は該支持軸３２を保持するとともにカメラ本体１０に固定される支持ベースである。これら支持軸３２と支持ベース３１とにより支持機構が構成される。
【００３１】
図７に示すように、支持ベース３１の前端に設けられた支持軸保持部３２ａは、前後方向Ｃに若干長い長孔形状の開口を有し、この開口内に支持軸３２を通すことで、支持軸３２を前後方向Ｃへの若干の移動を許容しながら保持する。
【００３２】
３３は支持ベース３１に取り付けられた前述した跳ね上げばね（付勢部材）である。跳ね上げばね３３はアクセサリシュー１１を跳ね上げ位置に付勢する付勢力と、収納位置にあるアクセサリシュー１１を後方に付勢する付勢力と、固定ピン１４を突出方向に付勢する付勢力とを発生させる。図３において、３４は支持ベース３１の後端部に形成された前述した折り曲げ係合部である。
【００３３】
図３中に矢印Ａで示すように、アクセサリシュー１１は、跳ね上げばね３３によって後方（図の右側）に付勢されている。この付勢力により、前述したように、跳ね上げ位置から格納位置に回動したアクセサリシュー１１は、支持軸３２とともに支持ベース３１に対して若干後方にスライドし、アクセサリシュー１１の後端部が支持ベース３１の折り曲げ係合部３４に係合する。さらに、アクセサリシュー１１に装着されたアクセサリ機器１２のシュー１２ａの後端部が折り曲げ係合部３４に当接する。
【００３４】
また、跳ね上げばね３３の一部は、固定ピン１４を図中に矢印Ｂで示すように上方向に付勢している。この付勢力によって、固定ピン１４は、前述したアクセサリシュー１１の孔部１１ａに挿入される。
【００３５】
図４には、跳ね上げ位置にあるアクセサリシュー周辺の断面を示す。また、図５には、アクセサリシュー１１が跳ね上げ位置にある状態でのアクセサリシュー１１、支持ベース３１、支持軸３２及び跳ね上げばね３３の上面図、背面図及び側面図を示している。さらに、図６には、同状態でのアクセサリシュー１１、支持ベース３１、支持軸３２及び跳ね上げばね３３の後方からの斜視図を示している。
【００３６】
図４において、ロック解除レバー１３の操作によって固定ピン１４を跳ね上げばね３３の付勢力に抗して下方（矢印Ｂ′の方向）に移動させることで、該固定ピン１４をアクセサリシュー１１の孔部１１ａから退避させる。そして、アクセサリシュー１１を支持ベース３１に対して支持軸３２とともに前方に若干スライドさせることで、アクセサリシュー１１の後端部と支持ベース３１の折り曲げ係合部３４との係合が解除される。これにより、跳ね上げばね３３の付勢力によってアクセサリシュー１１は跳ね上げ位置に回動する。
【００３７】
アクセサリシュー１１は跳ね上げ位置に回動した後も跳ね上げばね３３の付勢力によって支えられており、アクセサリ機器１２のシュー１２ａをアクセサリシュー１１に対してスライドさせる際にアクセサリシュー１１が格納位置に下がらない。このため、アクセサリ機器１２のアクセサリシュー１１への着脱が容易となる。
【００３８】
図５において、５１はアクセサリシュー１１に形成された回動制限部であり、５２は支持ベース３１の前端部に設けられた回動制限部である。アクセサリシュー１１が支持ベース３１に対して１３度の角度に設定された跳ね上げ位置まで回動するとこれら回動制限部５１，５２が互いに当接することで、アクセサリシュー１１の該跳ね上げ位置を超える上方への回動が阻止される。これは、アクセサリシュー１１に対するアクセサリ機器１２の着脱時にアクセサリシュー１１に跳ね上げ位置を超える回動を生じさせるような不用意な力が加わっても、アクセサリシュー周りの構造が破損しないようにするための構成である。特に、この回動阻止構造は、ともに剛性が高い支持ベース３１の前端部とアクセサリシュー１１の曲げ部とによって構成されているので、上述した不用意な力にも十分耐え得る強度を有する。
【００３９】
図７において、７１はアクセサリ機器１２に設けられた接点である。カメラ本体１０に装着されたアクセサリ機器１２の接点７１が、前述したカメラ本体１０の接点１５に接触することで、アクセサリ機器１２とカメラ本体１０との間での通信や電源の授受を行うことができる。
【００４０】
前述したように、跳ね上げ位置から格納位置に回動させたアクセサリシュー１１及びアククセサリ機器１２は、跳ね上げばね３３の付勢力によって支持ベース３１に対して後方に若干スライドされる。このとき、アクセサリ機器１２の接点７１がカメラ本体１０の接点１５に対して摺動する。この摺動によって、両接点７１，１５の接触領域がクリーニングされるため、これらを安定した接続状態とすることができる。
【００４１】
以上説明したように、本実施例によれば、アクセサリシュー１１をカメラ本体１０に対して跳ね上げ可能な構造とすることで、アクセサリ機器１２のアクセサリシュー１１に対するスライド用の逃げスペースをカメラ本体１０上に確保する必要がなくなる。しかも、上述したロック機構によって、アクセサリ機器１２をアクセサリシュー１１に係合させた後、格納位置に押し下げるだけでアクセサリ機器１２をアクセサリシュー１１（つまりはカメラ本体１０）に固定することができる。このため、カメラの小型化に有効であり、かつアクセサリ機器の着脱が容易なアクセサリシュー付きカメラを実現することができる。
【００４２】
なお、本実施例では、ビデオカメラについて説明したが、本発明は、ビデオカメラ以外のコンパクトデジタルスチルカメラや一眼レフデジタルカメラといった各種撮像装置に適用することができる。
【００４３】
以上説明した各実施例は代表的な例にすぎず、本発明の実施に際しては、各実施例に対して種々の変形や変更が可能である。
【図面の簡単な説明】
【００４４】
【図１】本発明の実施例であるビデオカメラにおけるアクセサリシュー周辺の構成（アクセサリシュー跳ね上げ状態）を示す斜視図。
【図２】上記アクセサリシュー周辺の構成（アクセサリシュー格納状態）を示す斜視図。
【図３】上記アクセサリシュー周辺の構成（アクセサリシュー格納状態）を示す断面図。
【図４】上記アクセサリシュー周辺の構成（アクセサリシュー跳ね上げ状態）を示す断面図。
【図５】上記アクセサリシュー周辺の構成（アクセサリシュー跳ね上げ状態）を示す上面図、側面図及び背面図。
【図６】上記アクセサリシュー周辺の構成（アクセサリシュー跳ね上げ状態）を示す後方斜視図。
【図７】上記アクセサリシュー周辺の接点構造（アクセサリシュー格納状態）を示す断面図。
【図８】従来のビデオカメラの斜視図。
【符号の説明】
【００４５】
１０  カメラ本体
１１  アクセサリシュー
１２  アクセサリ機器（ビデオライト）
１３  ロック解除レバー
１４  固定ピン
１５，７１  接点
１６  ガタ取り用リブ
３１  支持ベース
３２  支持軸
３３  跳ね上げばね
【図１】
0005106076.tif 000002
【図２】
0005106076.tif 000003
【図３】
0005106076.tif 000004
【図４】
0005106076.tif 000005
【図５】
0005106076.tif 000006
【図６】
0005106076.tif 000007
【図７】
0005106076.tif 000008
【図８】
0005106076.tif 000009